(57)【要約】【課題】狭いスペースでもサイフォン排水管を排水立て管に容易に取り付けることができる合流継ぎ手を提供する。【解決手段】サイフォン排水管と連結するサイフォン排水管連結部１４と、該サイフォン排水管連結部の下方に位置し、排水立て管３０の横穴３５と連結する立て管連結部１２とを有し、前記立て管連結部を前記排水立て管の横穴に連結させたときに、前記立て管連結部側に位置する側壁１６が前記排水立て管に沿って配置されることを特徴とする合流継ぎ手１０。【選択図】図２
2008115595.tif 000002
【特許請求の範囲】
【請求項１】
サイフォン排水管と連結するサイフォン排水管連結部と、該サイフォン排水管連結部の下方に位置し、排水立て管の横穴と連結する立て管連結部とを有し、前記立て管連結部を前記排水立て管の横穴に連結させたときに、前記立て管連結部側に位置する側壁が前記排水立て管に沿って配置されることを特徴とする合流継ぎ手。
【請求項２】
前記立て管連結部を前記排水立て管の横穴に連結させたときに、背面側に位置する側壁が前記立て管連結部に向けて直線状又は曲線状に傾斜して配置されることを特徴とする請求項１に記載の合流継ぎ手。
【請求項３】
前記サイフォン排水管連結部が、前記排水立て管の径方向外側に向かって複数並ぶように形成されていることを特徴とする請求項１又は請求項２に記載の合流継ぎ手。
【請求項４】
前記サイフォン排水管連結部が、前記排水立て管の外周に沿って複数並ぶように形成されていることを特徴とする請求項１又は請求項２に記載の合流継ぎ手。
【発明の詳細な説明】
【技術分野】
【０００１】
本発明は、集合住宅等のサイフォン排水システムに用いるサイフォン排水管を排水立て管に合流させるための合流継ぎ手に関する。
【背景技術】
【０００２】
マンション等の集合住宅、オフィスビル等の建築物における流し台、洗面台、風呂場等の水周り器具から流出する排水は、一般的に、建物内で太い排水立て管に一旦合流させて建物の外の下水管に排出される。
【０００３】
近年、サイフォンの原理を利用した、いわゆるサイフォン排水システムが開発されている（例えば特許文献１参照）。図５はサイフォン排水システムの一例の構成を概略的に示しており、流し等の水周り器具４２と排水立て管４８との間にサイフォン排水管４５が配設されている。サイフォン排水管４５は、主に排水立て管４８に向けて水平方向に延びる横引き管４４と、排水立て管４８に沿って落ち込む竪管４６とから構成されており、水頭差Ｈｓをもって連結部材５０を介して排水立て管４８に合流される。通常、サイフォン排水管４５は例えば管径が２０Ａのポリブテン管が用いられる。サイフォン排水管４５内の水は満流にて排水管４５内を流れ、水頭差Ｈｓの吸引力によってサイフォンが発生して排水が行われる。
【０００４】
このようなサイフォン排水システム４０では、横引き管４４が無勾配で配置され、若干の上り勾配があっても排水が十分可能である。また、横引き管４４は無勾配で配置することができるため、図７に示したように床スラブＳと床６０との間の床下ふところを小さくすることができる。
【０００５】
サイフォン排水管４５（竪管４６）を排水立て管４８に合流させる手段として、図６に示したように上下の排水立て管４８ａ，４８ｂを連結する特殊継ぎ手５２を利用する方法がある。この特殊継ぎ手５２には上下の排水立て管４８ａ，４８ｂを連結するための上下の穴５１ａ，５１ｂと、横方向の排水管を連結するための横穴５５が設けられている。そして、サイフォン排水管４５が連結する合流継ぎ手５６と、排水立て管４８（特殊継ぎ手５２）の横穴５５とをエルボ管５４を介して連結することで、各サイフォン排水管４５内を流れてくる排水を排水立て管４８内に合流させることができる。
【０００６】
しかし、サイフォン排水管４６と排水立て管４８とをエルボ管５４を介して連結するには、エルボ管５４を配置するための大きなスペースが必要であり、その分、室内空間部分が狭くなったり、排水立て管４８とその周囲の壁が既に設置され、スペースが限られている場合にはそもそもエルボ管５４を配置することができないといった問題がある。
【０００７】
【特許文献１】特開平６−４２０１９号公報
【発明の開示】
【発明が解決しようとする課題】
【０００８】
本発明は、狭いスペースでもサイフォン排水管を排水立て管に容易に取り付けることができる合流継ぎ手を提供することを目的とする。
【課題を解決するための手段】
【０００９】
上記目的を達成するため、本発明では以下の合流継ぎ手等が提供される。
【００１０】
＜１＞  サイフォン排水管と連結するサイフォン排水管連結部と、該サイフォン排水管連結部の下方に位置し、排水立て管の横穴と連結する立て管連結部とを有し、前記立て管連結部を前記排水立て管の横穴に連結させたときに、前記立て管連結部側に位置する側壁が前記排水立て管に沿って配置されることを特徴とする合流継ぎ手。
【００１１】
＜２＞  前記立て管連結部を前記排水立て管の横穴に連結させたときに、背面側に位置する側壁が前記立て管連結部に向けて直線状又は曲線状に傾斜して配置されることを特徴とする＜１＞に記載の合流継ぎ手。
【００１２】
＜３＞  前記サイフォン排水管連結部が、前記排水立て管の径方向外側に向かって複数並ぶように形成されていることを特徴とする＜１＞又は＜２＞に記載の合流継ぎ手。
【００１３】
＜４＞  前記サイフォン排水管連結部が、前記排水立て管の外周に沿って複数並ぶように形成されていることを特徴とする＜１＞又は＜２＞に記載の合流継ぎ手。
【発明の効果】
【００１４】
本発明によれば、狭いスペースでもサイフォン排水管を排水立て管に容易に取り付けることができる合流継ぎ手が提供される。
【発明を実施するための最良の形態】
【００１５】
以下、図面を参照しながら、本発明に係る合流継ぎ手について説明する。なお、本発明に係る合流継ぎ手は、集合住宅、オフィスビル等の一般建築であれば特に限定されずに適用することができるが、最も好適な態様として集合住宅に適用する場合について説明する。
図１は、本発明に係る合流継ぎ手の一例を示しており、図２は、この合流継ぎ手１０を介してサイフォン排水管３６を排水立て管３０に合流させた状態を示している。排水立て管３０は、マンション等の集合住宅において一般的に使用されているものである。排水立て管３０の途中には、特殊継ぎ手３２が設けられている。特殊継ぎ手３２は上下端部の穴３１ａ，３１ｂと側部の穴（横穴）３５を有し、内部は空洞となっている。そして上下の排水立て管３０ａ，３０ｂが特殊継ぎ手３２の上下の穴３１ａ，３１ｂにそれぞれ連結されている。なお、本明細書では、特殊継ぎ手３２も排水立て管３０の一部を構成するものとする。
【００１６】
一方、合流継ぎ手１０は、サイフォン排水管３６と連結するサイフォン排水管連結部１４と、サイフォン排水管連結部１４の下方に位置し、排水立て管３０の横穴３５と連結する立て管連結部１２とを有している。
【００１７】
立て管連結部１２は、排水立て管３０（特殊継ぎ手３２）の横穴３５に嵌め込むことができる円筒状に形成されている。なお、立て管連結部１２の一部が排水立て管３０の内側に配置されると、排水の流れを妨げるおそれがあるため、立て管連結部１２の長さは、図１（Ｂ）に示されるように排水立て管３０（特殊継ぎ手３２）の横穴３５の周囲の肉厚と同等あるいは若干短くすることが好ましい。
【００１８】
合流継ぎ手１０は、立て管連結部１２を特殊継ぎ手３２の横穴３５に嵌め込んで連結させることができる。立て管連結部１２の外れや排水の漏れを確実に防ぐため、立て管連結部１２と横穴３５との間にシール剤、接着剤等を介在させたり、粘着テープを巻いてもよい。なお、立て管連結部１２の形状や立て管３０の横穴３５の形状は任意であり、互いに連結させることができればどのような形状でもよい。連結方法としては、接着、ねじ込み、ボルト等を用いたメカニカル、溶着、挿入のみ等が挙げられる。
【００１９】
そして、この合流継ぎ手１０は、立て管連結部１２を排水立て管３０の横穴３５に嵌め込んで連結したときに、立て管連結部１２側（立て管３０側）に位置する側壁１６が略平板状に形成されており、排水立て管３０の軸方向に沿って垂直に起立した状態で配置される。従って、合流継ぎ手１０と排水立て管３０（特殊継ぎ手３２）との間にスペースをほとんどとらずに合流継ぎ手１０を取り付けることができ、例えば排水立て管３０の周囲のスペースが狭くても合流継ぎ手１０を配置することができる。
【００２０】
一方、サイフォン排水管連結部１４は、継ぎ手１０の上面に排水立て管３０の径方向外側に３つ並ぶように形成されている。サイフォン排水管連結部１４の数は特に限定されず、合流継ぎ手１０に連結させるサイフォン排水管３６の数に応じて設ければよい。
【００２１】
また、各サイフォン排水管連結部１４の形状は、サイフォン排水管３６と連結することができれば特に限定されず、公知の連結手段を採用することができる。例えば、図１に示されるように継ぎ手１０の内部の空洞に通じる貫通孔１５が形成された円錐台形又は円筒形であれば、サイフォン排水管３６を容易に連結させることができる。例えば、各サイフォン排水管３６の端部と、各サイフォン排水管連結部１４にネジ止め可能な連結具をそれぞれ設けて、確実に連結することができるようにしてもよい。
【００２２】
本発明に係る合流継ぎ手１０の材質は特に限定されず、公知の合流継ぎ手として使用されている材質と同等のものを用いて成形することができる。例えば、合成樹脂、金属、セラミック等が挙げられる。
【００２３】
図３は、本発明に係る合流継ぎ手の他の例を示している。この合流継ぎ手１１は、立て管連結部１２を排水立て管３０の横穴３５に嵌め込んで連結したときに、立て管連結部１２側に位置する側壁１６が、図１の合流継ぎ手１０と同様、排水立て管３０に沿って配置される。
一方、背面側（立て管３０と反対側）に位置する側壁１９は、立て管連結部１２に向けて曲線状に傾斜している。サイフォン排水管３６からその連結部１４を通じて合流継ぎ手１１内に流入した排水は、背面１９側の曲線状に傾斜した内壁を伝って立て管連結部１２に向けて流れるため、抵抗が小さく、速やかに排水立て管３０内に合流させることができる。
【００２４】
合流継ぎ手１１の背面側の側壁１９は、立て管連結部１２に向けて直線状に傾斜した形状でもよい。合流継ぎ手１１の背面が立て管連結部１２に向けて直線状に傾斜している場合も、サイフォン排水管３６からの排水は背面１９側の傾斜した内壁に沿って円滑に流れ、速やかに排水立て管３０内に合流させることができる。
【００２５】
ただし、合流継ぎ手１１の背面１９の曲率、傾斜角度等を大きくし過ぎると、立て管連結部１２の直前付近で流路が細くなり、場合によっては、排水能力の低下につながるおそれがある。背面側の側壁１９の傾斜角度等は、要求される排水能力、合流継ぎ手１０を取り付けるためのスペース、サイフォン排水管連結部１４の数等を考慮して適宜決めればよい。
【００２６】
なお、サイフォン排水管連結部の配置は特に限定されないが、例えば、排水立て管３０の径方向外側に向かって並ぶように形成されていれば、各サイフォン排水管連結部から流入する排水は、背面側の側壁１９の上下に分散して当たるため、排水が立て管連結部１２に集中することを防ぐことができる。また、サイフォン排水管３６がまとまって配置されるため、省スペース化の点でも有利である。
【００２７】
図４は、本発明に係る合流継ぎ手のさらに他の例を示している。
合流継ぎ手２０の下部には、排水立て管３０の横穴３５の形状に合致する立て管連結部２２が形成されている。合流継ぎ手２０は、立て管連結部２２側（排水立て管３０側）の側壁２６が排水立て管３０の外周に沿った形状を有しており、立て管連結部２２を排水立て管３０の横穴３５に嵌め込んで連結したときに、立て管連結部２２側の側壁２６が排水立て管３０に沿って配置される。従って、排水立て管３０との間にスペースをほとんどとらずに合流継ぎ手２０を取り付けることができる。
【００２８】
一方、合流継ぎ手２０の上面には６つの円筒状のサイフォン排水管連結部２４が排水立て管３０の外周に沿って並ぶように形成されている。このようにサイフォン排水管連結部２４が配置されていれば、各サイフォン排水管が排水立て管３０の周囲に配置されるため、省スペース化の点でも有利である。この場合も、サイフォン排水管連結部２４の数は、連結するサイフォン排水管の数に応じて適宜設定すればよい。
【００２９】
また、背面側の側壁２８は、図４に示されるように立て管連結部２２に向けて曲線状又は直線状に傾斜した形状とすれば、各サイフォン排水管連結部２４に連結されたサイフォン排水管から流入する排水は、立て管連結部２２に向けて曲線状に傾斜している背面側の側壁２８の内側を伝って流れるため、抵抗が小さく、速やかに排水立て管３０内に合流させることができる。
背面側の側壁２８は、立て管側の側壁２６と同様に立て管連結部２２の軸方向に対して垂直となるように形成してもよい。この場合、合流継ぎ手２０全体が排水立て管３０に沿って平行に配置される。従って、排水立て管３０の周囲のスペースが極めて狭い位置でも、合流継ぎ手２０を配置してサイフォン排水システムを構築することができる。
【００３０】
以上のように、本発明に係る合流継ぎ手は、立て管連結部側に位置する側壁が排水立て管に沿って配置されるため、狭いスペースでも排水立て管に取り付けることができる。また、外側に位置する側壁は、立て管連結部に向けて傾斜した形状とすれば、サイフォン排水管から流入する排水に対する抵抗が小さく、速やかに排水立て管内に合流させることができる。さらに、本発明に係る合流継ぎ手は、エルボ管を用いずにサイフォン排水管と排水立て管を連結することができるため、材料コストを低く抑えることができるといった利点もある。
【００３１】
以上、本発明に係る合流継ぎ手について説明したが、本発明は上記実施形態に限定されるものではない。例えば、上記実施形態ではサイフォン排水管連結部が複数ある場合について説明したが、サイフォン排水管連結部は１つでもよい。一方、連結させるサイフォン排水管が多い場合には、サイフォン排水管連結部が排水立て管の径方向及び外周に沿って並ぶように配置すればよい。
【００３２】
排水立て管に接続する合流継ぎ手の数も限定されず、１つの排水立て管（特殊継ぎ手）に、本発明に係る合流継ぎ手を複数連結してもよい。工場などでプレハブ加工を実施してもよい。例えば、本発明に係る合流継ぎ手と図２等に示したような特殊合流継ぎ手３２とを予め一体化させたものを用意し、これに排水立て管とサイフォン排水管を連結させてもよい。
また、本発明に係る合流継ぎ手を連結させる排水立て管の横穴は特に限定されず、例えば、排水立て管の径方向に突き出た特殊継ぎ手の枝管の横穴、あるいは、排水立て管自体に設けた横穴に立て管連結部を嵌め込んで連結してもよい。
【００３３】
また、本発明に係る合流継ぎ手は、サイフォン排水システムを構築する建物であれば特に制限されずに適用することができ、マンション等の集合住宅のほか、オフィスビル、工場等の水周り器具からの排水にも適用可能である。
【図面の簡単な説明】
【００３４】
【図１】本発明に係る合流継ぎ手の一例を示す概略図である。（Ａ）側面図  （Ｂ）平面図
【図２】図１に示した合流継ぎ手を介してサイフォン排水管と排水立て管とを連結させた状態を示す概略図である。
【図３】本発明に係る合流継ぎ手の他の例を示す概略図である。
【図４】本発明に係る合流継ぎ手のさらに他の例を示す概略図である。（Ａ）平面図  （Ｂ）側面図  （Ｃ）背面図
【図５】従来のサイフォン排水システムの構成の一例を示す概略図である。
【図６】サイフォン排水管と排水立て管とをエルボ管を用いて連結する従来の方法を示す概略図である。
【図７】サイフォン排水システムの床下ふところを示す概略図である。
【符号の説明】
【００３５】
１０，１１・・・合流継ぎ手
１２・・・立て管連結部
１４・・・サイフォン排水管連結部
１６・・・立て管連結部側（内側）の側壁
１８，１９・・・背面側（外側）の側壁
３０・・・排水立て管
３２・・・特殊継ぎ手
３５・・・横穴
３６・・・サイフォン排水管
【図１】
2008115595.tif 000003
【図２】
2008115595.tif 000004
【図３】
2008115595.tif 000005
【図４】
2008115595.tif 000006
【図５】
2008115595.tif 000007
【図６】
2008115595.tif 000008
【図７】
2008115595.tif 000009